(57)【要約】【課題】ゴルフプレーの記録を年間を通じて時系列的に、また瞬時に把握することができ、プレーヤーの上達に役立てることができる。【解決手段】本ゴルフ成績記録用具は、ゴルフのプレー成績を記録するグラフ用紙と、グラフ用紙にプレー成績を記入する際に使用される目盛りが表示されたゲージとを備えたゴルフ成績記録用具であって、グラフ用紙には、ゴルフスコアのグロス・ネットと、ＯＵＴ・ＩＮと、パット数の３種類のタテ座標軸が設定されるとともに、カレンダーの日付が表示されたヨコ座標軸が設定され、ゲージには、３種類のタテ座標軸と同じ縮尺の座標軸が表示されるとともに、グロス・ネットの目盛り間隔と同じ間隔をもつハンディキャップ目盛りが表示されている。【選択図】　図３
2004081756.tif 000002
【特許請求の範囲】
【請求項１】
ゴルフのプレー成績を記録するグラフ用紙と、当該グラフ用紙にプレー成績を記入する際に使用される目盛りが表示されたゲージとを備えたことを特徴とするゴルフ成績記録用具。
【請求項２】
前記グラフ用紙は、直交する２つの座標軸を備え、一の座標軸にはカレンダーが目盛られ、他の座標軸にはグロス・ネット、ハーフスコア又はパット数の少なくとも一つのゴルフ成績を記録する目盛りが目盛られ、カレンダーの日付に対応した罫線及びゴルフ成績の目盛りに対応した罫線が描かれていることを特徴とする請求項１記載のゴルフ成績記録用具。
【請求項３】
前記ゲージにはグロススコアからネットスコアを決定するハンディキャップ目盛りが表示されていることを特徴とする請求項１記載のゴルフ成績記録用具。
【請求項４】
ゴルフのプレー成績を記録するグラフ用紙と、当該グラフ用紙にプレー成績を記入する際に使用される目盛りが表示されたゲージとを備えたゴルフ成績記録用具であって、前記グラフ用紙には、ゴルフスコアのグロス・ネットと、ＯＵＴ・ＩＮと、パット数の３種類のタテ座標軸が設定されるとともに、カレンダーの日付が表示されたヨコ座標軸が設定され、前記ゲージには前記３種類のタテ座標軸と同じ縮尺の座標軸が表示されるとともに、前記グロス・ネットの目盛り間隔と同じ間隔をもつハンディキャップ目盛りが表示されていることを特徴とするゴルフ成績記録用具。
【発明の詳細な説明】
【０００１】
【発明の属する技術分野】
ゴルフ成績を記録することができるゴルフ成績記録用具に関する。
【０００２】
【従来の技術】
従来のものは、プレイした時のＯＵＴ・ＩＮ・グロス・ＮＥＴ・パット数の記録は個別で記されており、時系列的な流れの把握やプレイ頻度の把握ができない。
【０００３】
【発明が解決しようとする課題】
１回１回個別に成績を記録することに対して、年間を通したグラフ化により、時系列的な流れと頻度の把握が瞬時にビジュアルとして理解できることを目的とする。
【０００４】
【課題を解決するための手段】
本発明の請求項１記載のゴルフ成績記録用具は、ゴルフのプレー成績を記録するグラフ用紙と、当該グラフ用紙にプレー成績を記入する際に使用される目盛りが表示されたゲージとを備えたことを特徴とする。
【０００５】
本発明の請求項２記載のゴルフ成績記録用具は、前記グラフ用紙は、直交する２つの座標軸を備え、一の座標軸にはカレンダーが目盛られ、他の座標軸にはグロス・ネット、ハーフスコア又はパット数の少なくとも一つのゴルフ成績を記録する目盛りが目盛られ、カレンダーの日付に対応した罫線及びゴルフ成績の目盛りに対応した罫線が描かれていることを特徴とする。
【０００６】
本発明の請求項３記載のゴルフ成績記録用具は、前記ゲージにはグロススコアからネットスコアを決定するハンディキャップ目盛りが表示されていることを特徴とする。
【０００７】
本発明の請求項４記載のゴルフ成績記録用具は、ゴルフのプレー成績を記録するグラフ用紙と、当該グラフ用紙にプレー成績を記入する際に使用される目盛りが表示されたゲージとを備えたゴルフ成績記録用具であって、前記グラフ用紙には、ゴルフスコアのグロス・ネットと、ＯＵＴ・ＩＮと、パット数の３種類のタテ座標軸が設定されるとともに、カレンダーの日付が表示されたヨコ座標軸が設定され、前記ゲージには、前記３種類のタテ座標軸と同じ縮尺の座標軸が表示されるとともに、前記グロス・ネットの目盛り間隔と同じ間隔をもつハンディキャップ目盛りが表示されていることを特徴とする。
【０００８】
【発明の実施の形態】
本発明の実施の形態のゴルフ成績記録用具は、ゴルファーの年間を通しての成績をグラフとして記録し、上達の楽しみを目的とし、カレンダー日付のタテ軸がゴルフスコアの目盛りとなり、カレンダーは半年毎に表と裏で構成され、またゲージの補助素材の機能を加えた新しい考えのグッズである。又、単にゴルフの成績を記録することにとどまらず、その記録を１年単位でグラフ化することにより、プレイ回数、成績の良し悪しを視覚で把握し理解できるものである。
【０００９】
すなわち１日１日の縦軸カレンダー３６５本で１年（表面１月〜６月、裏面７月〜１２月）を構成し、その１日のタテ軸にその日の成績（グロススコア・ＯＵＴ・ＩＮ・パット数・ネットスコア）の情報を記録できる機能を有し、その記録の蓄積をヨコ軸で結ぶ事により年間の記録を瞬時に理解できる機能を、グラフ化により可能にする。
【００１０】
本ゴルフ成績記録用具の使用方法は以下の通りである。プレーした日のタテ軸にゲージのグロス目盛りを合わせ、グロススコアをゲージに沿ってカレンダーに記す。同様の手順で同じ日のタテ軸にＯＵＴ・ＩＮのスコアをハーフ目盛りで合わせてそれぞれ記し、又同様にゲージのパット数目盛りに合わせてパット数を記す。最後に、ゲージのハンディキャップ目盛り０をグロススコアの点に合わせ、自分のハンディキャップ数字の位置にネットスコアを記す。以上の作業をプレーした日ごとに記し、それぞれの座標点をヨコ軸で結んでグラフ化すると年間のグラフができる。
【００１１】
【発明の効果】
本発明のゴルフ成績記録用具によれば、例えば１年ごとの成績やその傾向、プレー日数を視覚で瞬時に理解でき、又、年ごとの記録の積み重ねにより上達の是非を同様に瞬時に把握する上で役立つ。
【図面の簡単な説明】
【図１】本発明の実施の形態に係るゴルフ成績記録用具のグラフ用紙の表面を示すもので、１月から６月までのゴルフスコアグラフ半年分のカレンダーとなっている。
【図２】本発明の実施の形態に係るゴルフ成績記録用具のグラフ用紙の裏面を示すもので、７月から１２月までのゴルフスコアグラフ半年分のカレンダーとなっている。
【図３】本発明の実施の形態に係るゴルフ成績記録用具のグラフ用紙の一部を示すもので、ヨコ軸の月・日付・曜日、タテ軸のグロス・ハーフスコア・パット数の目盛りを示し、６つ折に折り畳まれた状態の図である。
【図４】本発明の実施の形態に係るゴルフ成績記録用具のゲージの表面を示すもので、グロス、ハーフスコアの目盛りが示された図である。
【図５】本発明の実施の形態に係るゴルフ成績記録用具のゲージの裏面を示すもので、ハンディキャップ、パット数の目盛りが示された図である。
【符号の説明】
１　　１月、２月、３月、４月、５月、６月のスコアグラフ年間カレンダー（表面）
２　　７月、８月、９月、１０月、１１月、１２月のスコアグラフ年間カレンダー（裏面）
３　　月表示
４　　曜日表示
５　　日付表示
６　　グロススコア目盛り表示
７　　ハーフスコア目盛り表示
８　　パット数目盛り表示
９　　ハーフスコア表示目盛りゲージ（表面）
１０　グロススコア表示目盛りゲージ（表面）
１１　ハンディキャップ表示目盛りゲージ（裏面）
１２　パット数表示目盛りゲージ（裏面）
１３　使用説明
【図１】
2004081756.tif 000003
【図２】
2004081756.tif 000004
【図３】
2004081756.tif 000005
【図４】
2004081756.tif 000006
【図５】
2004081756.tif 000007